(57)【要約】  【目的】  ２つのシート状部分を，簡便にかつ比較的外れにくく結合する。  【構成】  折箱１は，前面部，背面部および両側面部と底面部を持つ。背面部の上端に連続して舌片31が設けられている。舌片31には，舌片31の向きと反対の方向を向く係止片31ａが形成されている。折箱１の前面部には差込切込み32と係止切込み34とが形成されている。差込切込み32を通して上記前面部の外側に出た舌片31の係止切込み31ａは，前面部に形成された係止切込み34に，舌片31の挿入方向とは反対方向から差込まれる。  【選択図】  図３
2005154001.tif 000002
【特許請求の範囲】
【請求項１】
第１のシート状部分の一部にこれと連続して一方向に向かう舌片が形成され，この舌片に，上記一方向とは逆方向に向かい，上記舌片と連続する係止片が形成され，
第２のシート状部分の一部に，上記舌片および係止片がそれぞれ挿入される第１および第２の差込用切込みが形成され，
上記舌片が上記第１の差込用切込みに挿入され，上記係止片が上記舌片の挿入方向とは反対方向から上記第２の差込用切込みに差込まれている，
２つのシート状部分の結合構造。
【請求項２】
シートを折曲げて形成される折箱の２つの面部のうちの一方の面部の一部に，これと連続して一方向に向かう舌片が形成され，この舌片に，上記一方向とは逆方向に向かい，上記舌片と連続する係止片が形成され，
他方の面部の一部に，上記舌片および係止片がそれぞれ挿入される第１および第２の差込用切込みが形成され，
上記舌片が上記第１の差込用切込みに挿入され，上記係止片が上記舌片の挿入方向とは反対方向から上記第２の差込用切込みに差込まれている，折箱。
【請求項３】
折曲げることにより折箱がつくられる折ることが可能な折箱の組立用シートにおいて，
２つのシート面のうちの一方のシート面の一部に，これと連続して一方向に向かう舌片が形成され，この舌片に，上記一方向とは逆方向に向かい，上記舌片と連続する係止片が形成され，
他方のシート面の一部に，上記舌片を挿入するための第１の差込用切込みと，上記係止片を上記舌片の挿入方向とは反対方向から差込むための第２の差込用切込みが形成されている，折箱組立用シート。
【請求項４】
シートの一端部分に，間隔をあけて反対向きに２つの第１および第２の係止舌片が形成され，
上記シートの他端部分に，上記第１および第２の係止舌片がそれぞれ差込まれる第１および第２の差込用切込みが形成され，
第１の係止舌片および第２の係止舌片が，第１の差込用切込みおよび第２の差込用切込みに反対向きにそれぞれ差込まれている，
シートの両端部分の結合構造。
【請求項５】
第２の係止舌片の長さは，第１の係止舌片の長さよりも短い，請求項４に記載のシートの両端部分の結合構造。
【請求項６】
丸めるまたは折ることが可能な包装用カバーの組立用シートにおいて，
シートの一端部分に，間隔をあけて反対向きに２つの第１および第２の係止舌片が形成され，
上記シートの他端部分に，上記第１および第２の係止舌片がそれぞれ反対向きに差込まれる第１および第２の差込用切込みが形成されている，
包装用カバー組立用シート。
【請求項７】
丸めるまたは折り曲げることが可能なシートの一端部分に，間隔をあけて反対向きに２つの第１および第２の係止舌片が形成され，
上記シートの他端部分に，上記第１および第２の係止舌片がそれぞれ差込まれる第１および第２の差込用切込みが形成され，
上記シートが丸められまたは折り曲げられて，上記一端部分が上記他端部分の外側にくるように重ねられ，
第１の係止舌片および第２の係止舌片が，第１の差込用切込みおよび第２の差込用切込みに反対向きにそれぞれ差込まれている，
包装用カバー。
【発明の詳細な説明】
【技術分野】
【０００１】
この発明は，２つのシート状部分の結合構造，ならびに，この結合構造を有する，ケーキ，菓子類等の食品，人形等の遊戯具，装飾具，化粧品，小物，その他の物品または商品を入れるのに適した折箱および折箱を組立てるためのシート，シートの両端部分の結合構造，ケーキ，プリン，ムース，ゼリー等の側面を保護するのに適した包装用カバーおよび包装用カバーを組み立てるためのシートに関する。
【背景技術】
【０００２】
折箱（包装用容器）は，プラスチック・シート，厚紙，ボール紙等をあらかじめ定められた展開図の形に切断し，切断したプラスチック・シート等を適宜折り曲げ，所要箇所を糊付け，溶着等により固定することによって作られる。このような折箱は，上述のような様々な菓子類等の食品，物品または商品を入れる，または収めるために用いられる。折箱には様々なデザインを持つものが存在する（たとえば，特許文献１参照）。
【０００３】
折箱は，展開された状態（シートの状態）で小売店（菓子類等の販売店，人形等の販売店，化粧品等の販売店等）に卸され，小売店において展開された状態のシートが折曲げられて作られることもあるし，作成済みの折箱が小売店に卸されることもある。いずれにしても，作られた折箱内に，小売店において，菓子類，人形等，化粧品等の内容物が入れられる（詰められる）。
【０００４】
折箱に内容物を詰めた後に，何らかの方法で蓋をする，密閉する，封をする，開口を閉じる等の作業が必要となる。内容物を折箱から取出すときには，蓋をとるまたは封もしくは閉鎖状態を解くことが必要となる。折箱はもともとプラスチック・シート，厚紙，ボール紙等のさほど強固でないものによって作られ，永久的またはきわめて長期間にわたって使用されるものでもないから，上記の蓋をする，密閉する等の作業も，その解除も簡便で，しかしそれほど簡単には外れないような結合状態のものとしておくことが望まれる。
【０００５】
また，ケーキ，プリン，ムース，ゼリー等の洋菓子類の側面（周面）を保護するカバーは，もともと洋菓子類等の側面形状にあわせて形がつくられているか，または１枚のシート状のものを側面形状にあわせて丸めまたは折り，両端部をあわせてのり付けすることによって，洋菓子類の側面の全周面を覆うようにするのが一般的である。しかしながら，洋菓子類の全周面を覆う形にあらかじめ形成されているものはこれを取り外すことが困難で，接着が強固である場合には，のり付けを離すことができず，シートによって側面が覆われたケーキ等を，スプーン等で，すくって食べるしかなかった。
【特許文献１】実用新案登録第３０８４３２１号公報
【発明の開示】
【０００６】
この発明は，上記の折箱の開口の閉鎖に応用することが可能で，さらに広い範囲にわたってその応用が可能な結合構造を提供するものであり，２つのシート状部分を，簡便にかつ比較的外れにくく結合する，結合構造を提供するものである。
【０００７】
またこの発明は，特に上述の結合構造を備えた菓子類等を包装するための折箱を提供するものである。
【０００８】
この発明はさらに，上記の折箱を作成するための組立用シートを提供するものである。
【０００９】
この発明はまた，１枚のシートで物品の全周囲を覆うときに，そのシートの両端部分を，簡便にかつ比較的外れにくく結合し，かつ結合を外そうとした場合には簡単に結合を外すことができる結合構造，この結合構造を有するシート，およびこのシートによってつくられる包装用カバーを提供するものである。
【００１０】
この発明による２つのシート状部分の結合構造は，第１のシート状部分の一部にこれと連続して一方向に向かう舌片が形成され，この舌片に，上記一方向とは逆方向に向かい，上記舌片と連続する係止片が形成され，第２のシート状部分の一部に，上記舌片および係止片がそれぞれ挿入される第１および第２の差込用切込みが形成され，上記舌片が上記第１の差込用切込みに挿入され，上記係止片が上記舌片の挿入方向（舌片の向かう方向）とは反対方向から上記第２の差込用切込みに差し込まれていることを特徴とする。
【００１１】
シート状部分とは，平面的なシート（合成樹脂シート，厚紙，ボール紙等）の部分であり，シート状部分が１枚のシートである場合を含む（この場合には，第１のシート状部分および第２のシート状部分は，第１のシートおよび第２のシートと言い換えることもできる）。
【００１２】
第１のシート状部分と第２のシート状部分とは，互いに分離した別個（別体）のシートの部分であってもよいし，同一のシートの異なる位置の部分のそれぞれであってもよい。
【００１３】
第１のシート状部分の一部に形成された舌片は，第１のシート状部分と連続して一方向に向かって形成されている。この舌片に，上記一方向とは逆方向に向かい，上記舌片と連続する係止片が形成されている。舌片の向きと係止片の向きは互いに反対の向きを向いている。
【００１４】
他方，第１のシート状部分と結合される第２のシート状部分の一部には，第１および第２の差込用切込みが形成されている。上記舌片は上記第１の差込用切込みに挿入され，上記係止片は上記舌片の挿入方向とは反対方向から上記第２の差込用切込みに差し込まれている。係止片は舌片に形成されているので，第１の差込み用切込みには舌片とともに係止片も挿入される。他方，第２の差込み用切込みには係止片が差し込まれる。
【００１５】
第２のシート状部分の形成された上記第１の差込用切込みと第２の差込み用切込みは，舌片の基部と係止片の基部との間の間隔に相当する間隔だけ離れて形成されていればよい。第２のシート状部分に形成された第１の差込用切込みに舌片を挿入するとともに，舌片と連続する係止片を，舌片の挿入方向とは反対方向から，第２のシート状部分に形成された第２の差込用切込みに差し込むことができる。
【００１６】
この発明によると，第１のシート状部分の一部に形成された舌片は第１の差込切込みに挿入され，舌片に形成された舌片とは反対方向に向かう係止片が，舌片の挿入方向とは反対方向から第２の差込用切込みに差し込まれている。第１のシート状部分と第２のシート状部分は，舌片に形成された係止片によって係止される。比較的簡便に第１のシート状部分と第２のシート状部分を結合することができる。
【００１７】
第１のシート状部分に複数の舌片を形成してもよい（もちろん，第１および第２の差込用切込みも，舌片の個数に対応して複数形成される）。複数の舌片のそれぞれによって，第１のシート状部分と第２のシート状部分とをより強固に結合することができる。
【００１８】
この発明による折箱は，シートを折曲げて形成される折箱の２つの面部のうちの一方の面部の一部に，これと連続して一方向に向かう舌片が形成され，この舌片に，上記一方向とは逆方向に向かい，上記舌片と連続する係止片が形成され，他方の面部の一部に，上記舌片および係止片がそれぞれ挿入される第１および第２の差込用切込みが形成され，上記舌片が上記第１の差込用切込みに挿入され，上記係止片が上記舌片の挿入方向とは反対方向から上記第２の差込用切込みに差込まれていることを特徴とする。
【００１９】
この発明による折箱の組立用シートは，折曲げることにより折箱がつくられる折ることが可能な折箱の組立用シートにおいて，２つのシート面のうちの一方のシート面の一部に，これと連続して一方向に向かう舌片が形成され，この舌片に，上記一方向とは逆方向に向かい，上記舌片と連続する係止片が形成され，他方のシート面の一部に，上記舌片を挿入するための第１の差込用切込みと，上記係止片を上記舌片の挿入方向とは反対方向から差込むための第２の差込用切込みが形成されていることを特徴とする。
【００２０】
折箱において互いに結合される２つの面部（シート面）は，折箱において一面（たとえば，上面）を構成する２つの面部（シート面）の結合であっても，異なる面（たとえば，一の側面と他の隣接する側面，一の側面と上面）を構成する面部（シート面）の結合であってもよい。側面と側面を互いに折箱の上部において結合するものであってもよい（この場合には，側面と側面とが互いに折箱の上部において結合することによって折箱の上部開口を閉じることができる）。
【００２１】
この発明によると，折箱を構成する一方の面部（シート面）の一部に形成された舌片は他方の面部（シート面）の一部に形成された第１の差込切込みに挿入され，舌片に形成された舌片の方向とは逆方向に向かう係止片が，舌片の挿入方向とは反対方向から，他方の面部（シート面）の一部に形成された第２の差込用切込みに差し込まれているので，２つの面部（シート面）は，舌片に形成された係止片によって係止される。比較的簡便に２つの面部（シート面）を結合することができる。
【００２２】
折箱の組立用シートは，透明または半透明のシートであってもよい。透明または半透明の折箱がつくられる。
【００２３】
この発明によるシートの両端部分の結合構造は，シートの一端部分に，間隔をあけて反対向きに２つの第１および第２の係止舌片が形成され，上記シートの他端部分に，上記第１および第２の係止舌片がそれぞれ差込まれる第１および第２の差込用切込みが形成され，第１の係止舌片および第２の係止舌片が，第１の差込用切込みおよび第２の差込用切込みに反対向きにそれぞれ差込まれていることを特徴とする。
【００２４】
シートの一端部分に間隔をあけて形成された２つ（１対）の係止舌片（第１の係止舌片および第２の係止舌片）は，互いに反対を向く。第１および第２の係止舌片は半円状，三角形状，四角形状，その他の形状を有するものであってもよい。また，第１の係止舌片と第２の係止舌片は，同じ形状であっても，異なる形状であってもよい。
【００２５】
シートの他端部分に形成された第１の差込用切込みに，第１の係止舌片が差込まれ，第２の差込用切込みに，第２の係止舌片が差込まれる。第１および第２の係止舌片は反対向きを向いているので，第１の係止舌片の第１の差込用切込みへの差込方向と，第２の係止舌片の第２の差込用切込みへの差込方向も，反対向きになる。
【００２６】
シートの他端部分に形成された第１の差込用切込みと第２の差込用切込みは，第１および第２の係止舌片の間の間隔に相当する間隔だけ離れて形成されていればよい。シートの他端部分に形成された第１の差込用切込みに第１の係止舌片を差込むとともに，第２の差込用切込みに第１の係止舌片を，上記第１の係止舌片の差込方向とは反対向きに差込むことができる。
【００２７】
この発明によると，シートの一端部分に形成された反対向きの第１および第２の係止舌片が，シートの他端部分に形成された第１および第２の差込切込みに，反対向きに差込まれているので，シートの一端部分と他端部分を，比較的外れにくく結合することができる。また，結合を解く場合には第１および第２の係止舌片を，それぞれ第１および第２の差込切込みから抜けばよい。結合を解こうとした場合には比較的簡単に２つの係止舌片による係止を解くことができ，シートの一端部分と他端部分とを結合を解くことができる。
【００２８】
一実施態様では，第２の係止舌片の長さは，第１の係止舌片の長さよりも短いものである。第２の係止舌片の長さが短い（基部が浅い）ので，第２の係止舌片は第２の差込切込みに浅く差込まれる。簡単に第２の差込切込みから第２の係止舌片を抜く（係止を解く）ことができる。第２の係止舌片による係止を解けば，残りは第１の係止舌片が第１の差込切込みに差込まれているだけであるから，第１の係止舌片による係止も簡単に解くことができる。
【００２９】
この発明による包装用カバーの組立用シートは，丸めるまたは折ることが可能な包装用カバーの組立用シートにおいて，シートの一端部分に，間隔をあけて反対向きに２つの第１および第２の係止舌片が形成され，上記シートの他端部分に，上記第１および第２の係止舌片がそれぞれ反対向きに差込まれる第１および第２の差込用切込みが形成されていることを特徴とする。
【００３０】
この発明による包装用カバーは，丸めるまたは折り曲げることが可能なシートの一端部分に，間隔をあけて反対向きに２つの第１および第２の係止舌片が形成され，上記シートの他端部分に，上記第１および第２の係止舌片がそれぞれ差込まれる第１および第２の差込用切込みが形成され，上記シートが丸められまたは折り曲げられて，上記一端部分が上記他端部分の外側にくるように重ねられ，第１の係止舌片および第２の係止舌片が，第１の差込用切込みおよび第２の差込用切込みに反対向きにそれぞれ差込まれていることを特徴とする。
【００３１】
シートは，平面的なシート（合成樹脂素材，プラスチック素材，紙素材等のシート）であり，このようなシートを丸めて，シートの一端部分と他端部分とを結合すると，円筒状，楕円筒状の包装用カバーがつくられる。シート上に折り目（または切れ目）を入れておくことによって，その折り目（切れ目）の位置でシートを折曲げることもできる。シート上に入れる折り目（切れ目）の数に応じて，三角形，四角形，その他多角形の形状を持つ筒状体状の包装用カバーをつくることができる。
【００３２】
この発明によると，包装用カバーを構成するシートの一端部と他端部が，第１および第２の係止舌片と，第１および第２の差込用切込みが用いられて結合される。第１および第２の係止舌片は，反対向きに第１および第２の差込用切込みに差込まれることによって係止されるので，シートの一端部と他端部を，比較的外れにくく結合することができる。結合を解こうとした場合には比較的簡単に結合を解くことができる。
【００３３】
包装用カバーの組立用シートは，透明または半透明のシートであってもよい。透明または半透明の包装用カバーがつくられる。
【実施例１】
【００３４】
図１は折箱の展開図を示している。図２は組立途中の折箱を斜視的に示している。図３は組立が完成した折箱１の全体を斜視的に示している。図４は完成した折箱１の底面図である。折箱１は，プラスチック・シート，厚紙，ボール紙等のシート状素材（以下，単にシートという）を展開図（図１）にしたがって切断し，後述する切込みを入れ，適所を折り曲げることによってつくられる。
【００３５】
展開図（図１）において，折箱１をつくるときに折曲げられる箇所（折線）が鎖線および破線で示されている。
【００３６】
展開図において，第１の側面部41，背面部42，第２の側面部43および前面部44が一連につながり，第１の側面部41の外縁に糊代45が設けられている。
【００３７】
背面部42の上端には取手片20Ｂが，前面部44の上端には取手片20Ａが，それぞれつながっている。これらの取手片20Ａ，20Ｂの上端には波形のカッティングが施されている。また，取手片20Ａ，20Ｂのほぼ中央の位置に長孔21があけられ，この長孔21の下側の位置に円形の孔22があけられている。これらの長孔21，円形の孔22はリボン等を通すために用いられる。長孔21はまた，指を通して折箱１を持ち運ぶために用いられる。
【００３８】
取手片20Ｂには，先端部が半円状に形成された２つの舌片31が，取手片20Ｂの左右の両端に近い箇所に形成されている（切込まれている）。２つの舌片31には，いずれもそのほぼ中央の位置に，概略半円状で，その両端において少し滑らかに跳上がった形状の切込み33が形成されている（切込まれている）（切込み33の両端の跳上がった部分を符号33ａで示す）。切込み33によって形成される舌片31に連続する半円状部分が係止片31ａであり，舌片31の向きと係止片31ａの向きは互いに離れる反対方向である。
【００３９】
前面部44の上端に，２つの差込切込み32が形成されている。２つの差込切込み32の間隔は，取手片20Ｂに形成された２つの舌片31の間隔にほぼ等しい。２つの差込切込み32は，いずれも前面部44の上端に沿って形成されており，その両端において斜め下方に少し立下がっている（この両端の立下がり部分を符号32ａで示す）。また，２つの差込切込み32の下方には，２つの係止切込み34がそれぞれ形成されている。差込切込み32と係止切込み34とは，舌片31の基部と係止片31ａの基部との間の間隔に相当する間隔だけ離れて形成されている。
【００４０】
第１の側面部41および第３の側面部43の上側の位置に，三角形状にミシン目（間隔をあけて形成された切込みまたは切れ目）41ａ，43ａがいれられている（形成されている）。第１の側面部41にいれられた三角形状のミシン目41ａの３つの頂点は，第１の側面部41の上縁の中央と，第１の側面部41と糊代45の境界と，第１の側面部41と背面部42の境界に，それぞれ位置している。第３の側面部43にいれられた三角形状のミシン目43ａの３つの頂点は，第３の側面部43の上縁の中央と，第３の側面部43と背面部42の境界と，第３の側面部43と前面部44の境界に，それぞれ位置している。
【００４１】
第１の側面部41および第２の側面部43の下縁には第１および第３の底面部51，53がそれぞれつながっている。底面部51，53は翼部51ａ，53ａを持ち，翼部51ａ，53ａから側面部41，43の下縁の端まで斜縁51ｂ，53ｂがのびている。
【００４２】
背面部42の下縁には第２の底面部52がつながっている。第２の底面部52は折箱１の底面の半分を形成する大きさであり，その先端部の両側において突部52ａが形成されている。２つの突部52ａの間の直線縁を中央縁52ｂということにする。
【００４３】
前面部44の下縁には第４の底面部54がつながっている。第４の底面部54は台形状であり，先端部に舌部54ａが形成されている。舌部54ａの幅は中央縁52ｂの長さにほぼ等しい。第４の底面部54の斜めの側縁を斜縁54ｂと呼ぶことにする。
【００４４】
折箱１は次のように組み立てられる。第１の側面部41と背面部42の境界，背面部42と第２の側面部43の境界，第２の側面部43と前面部44の境界が垂直に折り曲げられ，糊代45により側面部41の外縁が前面部44に接着される。第１〜第４の底面部51〜54が垂直に折り曲げられる。
【００４５】
第４の底面部54の舌部54ａが第２の底面部52の内側に入る。第１および第３の底面部51，53の翼部51ａ，53ａが第４の底面部54の内側にくる。第１および第３の底面部51，53の斜縁51ｂ，53ｂは，第２の底面部52の外側に沿う。第２の底面部52の突部52ａは，第１，第３の底面部51，54の内側にくる。中央縁52ｂの両端から斜縁51ｂ，53ｂ，54bがそれぞれ折箱１の４隅に向かってのびた形があらわれる（折箱の底面；図４参照）。
【００４６】
ここまでの組立てによって，上部が開口した筒状の容器部10の形が現れる（図２）。容器部10の内部に，菓子類，化粧品類，小物類等が詰められる。
【００４７】
上述のように，背面部42の上端に連続する取手片20Ｂの左右の両端に近い箇所に，先端部が半円状に形成された２つの舌片31が形成されている。２つの舌片31が，係止片20Ｂから切出されて内側（前面部44の向き）にほぼ垂直に折り曲げられる。
【００４８】
また，上述のように，前面部44の上端（前面部44の上端と取手片20Ａとの境界の部分）には，２つの舌片31にそれぞれ対応する位置に，差込切込み32がそれぞれ形成されている（切込まれている）。図５(A) を参照して，背面部42の上端部分と前面部44の上端部分とを互いに近づく向きに押し，２つの舌片31を，前面部44の上端に形成された２つの差込切込み32にそれぞれ差込む。２つの舌片31が２つの差込切込み32にそれぞれほぼ完全に差込まれると，背面部42の上端部分と前面部44の上端部分が互いに接し，第１の側面部41および第２の側面部43がミシン目41ａ，43ａに沿って内側に折り込まれて第１の側面部41の上端および第２の側面部43の上端が互いに接し，取手片20Ａ，20Ｂが重ね合わされる（取手部20が形成される；図３参照）。背面部42と前面部44の上半部に傾斜面が現れ（形成され），第１の側面部41と第３の側面部43の上半部に，傾斜した三角形状の折込み部41ｂ，43ｂが現れる（形成される）。２つ舌片31は，対応する２つの差込切込み32を通して前面部44の外側に出る。
【００４９】
図５(B) を参照して，容器部10の前面部44の外側に出た舌片31に連続する２つの係止片31ａを指で押しつつ，前面部44に形成された２つの係止切込み34にそれぞれ差し込む。２つの係止片31ａは，係止切込み34を通して，容器部10の前面部44の外から内に向けて差込まれ，これにより係止片31ａは容器部10の前面部44に係止される。
【００５０】
係止片31ａによる係止によって，容器部10の前面部の上端と容器部10の背面部の上端，第１の側面部41の上端と第２の側面部43の上端，および２つの取手片20Ａ，20Ｂが，互いに接した状態で（かつ容器部10の上部開口が閉じられた状態で）結合（固定）される。
【００５１】
図３を参照して，上述のようにして組立てられて完成した折箱１は，内部が中空の容器部10を持ち，容器部10の上端に取手部20（取手片20Ａと取手片20Ｂを重ね合わせたもの）を持つ。容器部10は，前面部，背面部および両側面部および底面部を持つ。容器部10の前面部および背面部は，その下半部において底面から垂直に立ち上がり，上半部においては，上側に向かうにしたがって互いに次第に近づく方向に傾斜し，容器部10の上端において前面部の上端と背面部の上端とが接している。容器部10の両側面部は，その下半部において底面からほぼ垂直に立ち上がり，上半部において容器部10の内側に向けて傾斜している。
【００５２】
２つの舌片31は，組み立てられた折箱１（図３）においては，対応する差込切込み32を通って容器部10の前面部44の外側に出て，前面部44の傾斜面に沿っている。また，舌片31は下方（前面部44の斜面の下側）を向き，係止切込み34に差込まれた係止片31ａは，上方（前面部44の斜面の上側）を向く。
【００５３】
このように，背面部22に連続する取手片20Ｂから切出された２つの舌片31は，前面部44の上端に形成された２つの差込切込み32に，前面部44の内側から外側に向けてそれぞれ挿入され，さらに，舌片31に形成された舌片31とは反対方向に向かう係止片31ａが，舌片31の挿入方向とは反対方向から（前面部44の外側から内側に向けて）２つの係止切込み34にそれぞれ差込まれることにより，前面部44の上端と背面部42の上端が互いに接した状態で固定されて，かつ折箱１の上部開口が閉じられた状態に固定される。比較的簡便に，前面部44の上端と背面部42の上端を結合することができ，折箱１の上部開口を閉じることができる。
【００５４】
２つの舌片31が対応する２つの差込切込み32にそれぞれ挿入され，さらに舌片31に連続する係止片31ａが，舌片31の挿入方向とは反対方向から係止切込み34に差込まれてそれぞれ係止されるので，意識的に係止を外そうとしない限り，係止片31ａによる係止は外れてしまうことはない。
【００５５】
この実施例では，折箱１はその底面からみて長方形である。容器部10の形を底面からみて正方形とすることもできる。
【００５６】
図６は他の実施例を示すもので，２つの長方形状のシート61および62が互いに結合されている様子を示している。
【００５７】
シート61の一端部に，シート61と連続する舌片31が形成されている。シート62の他端部には差込切込み32および係止切込み34が形成されている。差込切込み32と係止切込み34とは，舌片31の基部と係止片31ａ（図６においては係止片31ａはシート62によって隠れて見えない）の基部との間の間隔に相当する間隔だけ離れて形成されている。シート61の一端部に形成された舌片31が，シート62の他端部に形成された差込切込み32に差込まれ（図６において，裏面側から表面側に向かう向きの差込み），その後，舌片31の中央部分の係止片31ａが，シート62の他端部に形成された係止切込み34に差込まれる（図６において，表面側から裏面側に向かう向きの差込み）。シート61の先端部とシート62の他端部が互いに結合される。
【００５８】
図６は２つのシート61，62を連結する様子を示しているが，２以上の複数のシートの先端部にそれぞれ舌片31を形成し，かつ他端部分に差込切込み32および係止切込み34を形成してもよい。一のシートの他端部分と他のシートの先端部分，他のシートの他端部分とさらに他のシートの先端部分を互いに結合することができる。
【００５９】
図７および図８は，上述した結合構造を持つ組立てられた折箱の他の実施例を示している。
【００６０】
図７に示す立方体状の折箱２は，その上部開口が，互いに対向する２つの側面部にそれぞれ連続して形成された上面部71および72によって閉じられている。一方の上面部71の先端に，上面部71と連続して２つの舌片31が間隔をあけて並んで形成されている。他方の上面部72には，２つの舌片31に対応して２組の差込切込み32および係止切込み34がそれぞれ形成されている。上面部71の先端に形成された２つの舌片31（および舌片31に連続する係止片31ａ）と，上面部72に形成された２組の差込切込み32および係止切込み34によって，上面部71と上面部72とが結合（固定）され，折箱２の上部開口が閉じられる。
【００６１】
図８に示す立方体状の折箱３は，背面部に連続して形成された上面部81の両側縁のそれぞれに，側縁に連続して，舌片31が，２つずつ間隔をあけて並んで形成されている。折箱３の２つの側面部82，83のそれぞれに，舌片31に対応して差込切込み32および係止切込み34がそれぞれ形成されている。折箱３の上面部81（その両側縁）と，折箱３の２つの側面部82，83が，舌片31（および舌片31に連続する係止片31ａ），差込切込み32および係止切込み34によって結合（固定）される。
【実施例２】
【００６２】
図９は，シート（包装用シート）90の表面図を示している。図10は組立途中のシート90を斜視的に示している。図11はシート90を組立てたもの（これを，包装用カバー４という）を斜視的に示している。シート90の裏面図は，図９に示すシート90の表面図と対称に現れる。
【００６３】
シート90は薄いシート状素材（プラスチック・シート，紙等）からなり，幅に比べて長さが長い概略長方形の形状を持つもので，２つの端部を備えている。以下，一方の端部を第１の端部，他方の端部を第２の端部と呼ぶ。次に説明するように，シート90は，その第１の端部と第２の端部を結合するのに適した構造を備えている。シート90の第１の端部には滑らかな曲線を持つ３つの凸部が，シート90の第１の端部に連続して形成されている。中央の凸部はその両側の２つの凸部よりも外に突出している。シート90の第２の端部は直線状である。
【００６４】
シート90の第１の端部に，シート90上に曲線状の切込み91，92を入れる（切込む）ことによって形成された１対（２つ）の係止舌片91ａ，92ａが，間隔をあけてシート90の長手方向に沿う向きにならんで形成されている。係止舌片92ａの方が，係止舌片91ａよりもシート90の第１の端部の先端に近い位置にある。係止舌片91ａ（曲線状切込み91）はシート90の第２の端部側を向き，係止舌片92ａ（曲線状切込み92）はシート90の第１の端部側を向いている。また，係止舌片91ａは概略半円状である。係止舌片92ａは弧状（半円状にまで至っていない）であり，その基部は浅い。
【００６５】
他方，シート90の第２の端部には，１対（２つ）の直線状の係止切込み93，94が，シート90の短手方向に平行に，シート90の長手方向に沿う向きにならんで形成されている（切込まれている）。係止切込み93の方が，係止切込み94よりもシート90の第２の端部の先端に近い位置にある。係止切込み93は，上述した概略半円状の係止舌辺91ａの両端（曲線状切込み91の両端）を結ぶ長さに相当する長さをもつ。係止切込み94は，基部の浅い弧状の係止舌辺92ａの両端（曲線状切込み92の両端）を結ぶ長さに相当する長さをもつ。係止切込み93と係止切込み94とは，係止舌辺91ａと係止舌辺92ａとの間の間隔にほぼ相当する間隔（少し大きくてもよい）だけ離れて形成されている。また，係止切込み93の両端には，短い切込み93ａが，シート90の第１の端部に向かう方向にそれぞれ入れられ，係止切込み94の両端には，短い切込み94ａが，シート90の第２の端部に向かう方向にそれぞれ入れられている。
【００６６】
図10および図11を参照して，シート90は次のようにして組み立てられる。シート90の第１の端部が，シート90の第２の端部の外側にくるようにしてシート90が丸め込まれる。シート90は，シート90の短手方向の長さを高さとする円筒状の形状になる。
【００６７】
シート90の第１の端部に形成された概略半円状の係止舌片91ａを指で押込みつつ，シート90の第２の端部に形成された係止切込み93に差込む。係止舌辺91ａが係止切込み93を通ってシート90の内側に潜り込む。
【００６８】
次に，シート90の第１の端部に形成された弧状の係止舌辺92ａを指で押込みつつ，シート90の第２の端部に形成された係止切込み94に差込む。係止舌辺92ａが係止切込み94を通ってシート90の内側に潜り込む。包装用カバー４が完成する。
【００６９】
包装用カバー４の内側にはケーキ，プリン，ムース，ゼリー等が入れられる。作られたケーキ等の側面（周面）にシート90を巻回し，包装用カバー４でケーキ，プリン等の側面を覆ってもよいし，あらかじめ包装用カバー４をつくり，その内側にケーキ等の具材を流込み，その後にケーキ等をつくる（完成させる）ようにしてもよい。図12に示すように，包装用カバー４によって側面が覆われたケーキ等は，たとえばトレイ５の上に載せられて，ショーケース内に陳列される。
【００７０】
シート90の第１の端部に形成された係止舌辺91ａと係止舌辺92ａは，互いに離れる反対向きを向いて形成されており，これらの係止舌辺91ａ，92ａが，シート90の第２の端部に形成された係止切込み93，94にそれぞれ互いに離れる反対方向に差込まれて係止される。このように，係止舌辺91ａ，92ａが互いに反対方向に差込まれてそれぞれ係止されるので，意識的にこれらの係止を外そうとしない限り，係止舌辺91ａ，92ａと係止切込み93，94による係止（シート90の第１の端部と第２の端部の結合）は外れてしまうことはない。他方，係止舌辺92ａはその基部が小さく（浅く），係止切込み94に浅く差し込まれるので，少しの力で係止舌辺92ａと係止切込み94との係止を解くことができる。係止舌辺92ａと係止切込み94との係止が解ければ，係止舌辺91ａを係止切込み93から引抜くことが容易になる。このように，シート90の第１の端部に形成された係止舌辺91ａ，92ａと，これらに対応してシート90の第２の端部に形成された係止切込み93，94によって，外力が加えられない限りシート90の第１の端部と第２の端部の結合が比較的外れにくく，他方，外力が加えられた場合には比較的簡単に結合を外すことができる包装用カバーが提供される。
【００７１】
図13は，図９に示すシート90の変形例（シート100 ）を示す表面図である。シート100 の裏面図は図13に示す正面図と対称に現れる。図９に示すシート90 とは，シート100 の第２の端部付近において，シート100 の長手方向の辺に連続して，半円状のつまみ101 が突出して設けられている点，およびシート100 の第２の端部に形成された係止切込み93の中央に，シート100 の第１の端部に向かって短い切込み102 が形成されている（切込まれている）点，が異なる。
【００７２】
図14は，図13に示すシート100 を組み立てた様子（包装用カバー６）を示す斜視図である。シート100 の第２の端部に形成された係止切込み93の中央に，シート100 の第１の端部に向かって短い切込み102 が形成されているので，係止舌辺91ａの係止切込み93への差込みが容易になる。また，つまみ101 は指でつまむ（つかむ）ために用いられる。たとえば，つまみ101 を左手でつまんでおき，右手でシート100 の第１の端部（凸部）を引っ張る。基部の小さい係止舌辺92ａが係止切込み94から外れ，さらにシート100の一端部を引っ張ると，係止舌辺91ａが係止切込み93から外れる。使用者の手を内容物（ケーキ，プリン等）によって汚すことなく，簡単にシート100 の第１の端部と第２の端部の結合を解除する（包装用カバー６をケーキ等の側面から取り外す）ことができる。
【００７３】
上述の例では，シート90，100を丸め，係止舌辺91ａ，92ａおよび係止切込み93，94を用いて円筒状の包装用カバー４，６をつくる例を示したが，シート90，100にくせをつけておくことによって，楕円筒状の包装用カバーをつくることもできる。また，シート上に，その短手方向に平行に折り目（または浅い切込み）を形成しておくことによって，四角筒状，三角筒状，その他の多角形状の包装用カバーをつくることもできる。
【００７４】
図15は，シート上に，その短手方向に平行に四本の折り目（または切込み）111 ，112，113 および114 （作図の便宜上，分かりやすくするために折り目（切込み）を一点鎖線で示す）が入れられたシート100Ａの表面図を示している。図16は，図15に示すシート100Ａ を組み立てた様子（包装用カバー７）を示している。シート100 Ａの裏面図は図15に示す正面図と対称に現れる。図13に示すシート100 および図14に示す包装用カバー６と同一のものには同一の符号を付している。四本の折り目（または切込み）111 ，112，113 および114 をそれぞれ垂直に折り曲げることによって，四角筒状の包装用カバー７がつくられる。
【００７５】
図17は，シート上に，その短手方向に平行に三本の折り目（または切込み）121 ，122 および123 が入れられたシート100Ｂの表面図を，図18は，図17に示すシート100Ｂ を組み立てた様子（包装用カバー８）をそれぞれ示している。シート100 Ｂの裏面図は図17に示す正面図と対称に現れる。図13に示すシート100 および図14に示す包装用カバー６と同一のものには同一の符号を付している。折り目（または切込み）121 を鋭角に折曲げ，折り目122 および123 を，それよりも角度を広げて折り曲げることによって，図18に示すような三角筒状の包装用カバー８がつくられる。
【図面の簡単な説明】
【００７６】
【図１】折箱の展開図である。
【図２】組立途中の折箱を示す斜視図である。
【図３】折箱の斜視図である。
【図４】折箱の底面図である。
【図５】(A)，(B) は，係止舌片を固定する様子を示す一部拡大斜視図である。
【図６】２つのシートが結合されている様子を示す平面図である。
【図７】他の実施例の折箱の斜視図である。
【図８】他の実施例の折箱の斜視図である。
【図９】シートの表面図である。
【図１０】組立途中のシートの斜視図である。
【図１１】円筒状の包装用カバーの斜視図である。
【図１２】内容物が入れられた状態における包装用カバーの斜視図である。
【図１３】シートの他の例を示す表面図である。
【図１４】他の例のシートによってつくられた包装用カバーの斜視図である。
【図１５】シートのさらに他の例を示す表面図である。
【図１６】四角筒状の包装用カバーの斜視図である。
【図１７】シートのさらに他の例を示す表面図である。
【図１８】三角筒状の包装用カバーの斜視図である。
【符号の説明】
【００７７】
１，２，３  折箱
４，６，７，８  包装用カバー
10  容器部
20  取手部
20Ａ，20Ｂ  取手片
31  舌片
31ａ  係止片
32  差込切込み
33  切込み
34，93，94  係止切込み
41  第１の側面部
42  背面部
43  第２の側面部
44  前面部
45  糊代
51  第１の底面部
52  第２の底面部
53  第３の底面部
54  第４の底面部
61，62，90，100，100Ａ，100Ｂ  シート
71，72  上面部
91，92  曲線状切込み
91ａ，92ａ  係止舌片
【図１】
2005154001.tif 000003
【図２】
2005154001.tif 000004
【図３】
2005154001.tif 000005
【図４】
2005154001.tif 000006
【図５】
2005154001.tif 000007
【図６】
2005154001.tif 000008
【図７】
2005154001.tif 000009
【図８】
2005154001.tif 000010
【図９】
2005154001.tif 000011
【図１０】
2005154001.tif 000012
【図１１】
2005154001.tif 000013
【図１２】
2005154001.tif 000014
【図１３】
2005154001.tif 000015
【図１４】
2005154001.tif 000016
【図１５】
2005154001.tif 000017
【図１６】
2005154001.tif 000018
【図１７】
2005154001.tif 000019
【図１８】
2005154001.tif 000020